(57)【特許請求の範囲】
【請求項１】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項２】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記本体枠の壁面側に当接する取付面側に、本体枠弾性部材を一体に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項３】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーベースの壁面側に当接する取付面側に、ルーバーベース弾性部材を一体に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項４】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーパネルの内側に空気層を形成するカバーを設け、前記空気層を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、
下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項５】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記本体枠の壁面側に当接する取付面側に、本体枠弾性部材を一体に形成し、前記ルーバーパネルの内側に空気層を形成するカバーを設け、前記空気層を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項６】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーベースの壁面側に当接する取付面側に、ルーバーベース弾性部材を一体に形成し、前記ルーバーパネルの内側に空気層を形成するカバーを設け、前記空気層を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項７】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーパネルを中空部を有するように形成し、前記中空部を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項８】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記本体枠の壁面側に当接する取付面側に、本体枠弾性部材を一体に形成し、前記ルーバーパネルを中空部を有するように形成し、前記中空部を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項９】
室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成し、前記ルーバーベースの壁面側に当接する取付面側に、ルーバーベース弾性部材を一体に形成し、前記ルーバーパネルを中空部を有するように形成し、前記中空部を第４の空気断熱層に形成し、前記ルーバーベースと前記ルーバーパネルを左右に設けられるリンクにより連結し、そのリンクを中空状に形成して、前記中空状部分を第５の空気断熱層に形成したものであって、下方側の前記リンクを連結する板材に井桁状のリブを設け複数の凹部を形成し、前記ルーバーベースと前記ルーバーパネルを連結する前記リンクに上方が開口した凹部を形成し、前記板材および、前記リンクの前記凹部をリンクシール部材で覆い内部に第５の空気断熱層を形成したことを特徴とする給気型換気装置。
【請求項１０】
リンクシール部材を、吸水性を持つ材料で形成したことを特徴とする請求項１〜９のいずれかに記載の給気型換気装置。
【請求項１１】
ルーバーパネルの内面側に吸水シートを設け、リンクに設けられるリンクシール部材を前記吸水シートと当接したことを特徴とする請求項１０記載の給気型換気装置。
【発明の詳細な説明】
【技術分野】
【０００１】
本発明は、室内に新鮮な外気を取り入れる給気型換気装置に関する。
【背景技術】
【０００２】
従来、この種の給気型換気装置の一例として、室内側における結露水の発生を抑制する給気型換気装置が知られている（例えば、特許文献１参照）。
【０００３】
以下、その給気型換気装置について、図１８を参照しながら説明する。
【０００４】
図に示すように、室壁１０１の室内１０２側に設置され、前面を開口して吐出口１０３を形成した本体枠１０４の後板１０５には室外１０６と連通する給気口１０７が形成され、内部には給気羽根１０８を設けた電動機１０９が設けられ、本体枠１０４の上下、左右の内周壁面に沿って角筒状の本体筒１１０が一体に突設され、本体筒１１０の室内１０２側外周端部を閉鎖フランジ部１１１により閉鎖し、第１の断熱空間部１１２を形成し、本体枠１０４の室内側にはグリル１１３が設けられている。
【０００５】
また、本体枠１０４の円形状の開口孔１１４の周縁から本体枠１０４内部にかつ、吐出口１０３側にのびる円筒状の大円筒部１１５と、その室内１０２側外周端部を閉鎖フランジ部１１６を介して大円筒部１１５の室内１０２側内周端部に連結することによって大円筒部１１５の内部に配設される小円筒部１１７によって２重円筒状の空気案内筒部１１８を設け、大円筒部１１５と小円筒部１１７との空間を第２の断熱空間部１１９に形成し構成している。
【特許文献１】特許第２８２６０６３号公報（［００１５］〜［００２１］図２）
【発明の開示】
【発明が解決しようとする課題】
【０００６】
このような従来の給気型換気装置では、外気の通風路が限定されておらず、外気がグリル１１３を通り室内１０２側に給気されるまでの間、本体内のあらゆる箇所に外気が行きわたるため、隙間を全て塞がないと結露抑制の機能が十分に果たせないという課題があり、外気の通風路を限定し、給気流が接する面を限定することで結露抑制機能を十分に発揮されることが要求されている。
【０００７】
また、室内１０２側の壁面は凹凸が多く、第１の断熱空間部１１２および第２の断熱空間部１１９の密閉度が悪くなり、室内１０２空気が常に入出し、断熱空間部の機能が十分に果せないという課題があり、断熱空間部の密閉度を高め、機能を十分に発揮されることが要求されている。
【０００８】
本発明は、このような従来の課題を解決するものであり、通風路を限定し、給気流が接する面を限定するとともに、空気断熱層の機能を十分発揮して結露水の発生を抑制できる給気型換気装置を提供することを目的としている。
【課題を解決するための手段】
【０００９】
本発明の給気型換気装置は上記目的を達成するために、室外と連通するように壁部に設けられる形状で内部にファンモータを有した筒状部と、この筒状部の室内側開口の外周に半径方向に張り出したフランジ部とを設けた本体枠と、前記本体枠に着脱自在に設けられる前面パネルとを備え、この本体枠の室内側に突出するように前記筒状部と連通して通風路を限定して形成する第１の壁部と、この第１の壁部の外方に間隔をあけて設けられる第２の壁部と、前記第１の壁部と前記第２の壁部の端部に設けられる本体枠シール部材とで第１の空気断熱層を形成したものである。
【００１０】
この手段により、結露が発生する可能性のある通風路を限定できるとともに、結露水の発生を抑制できる給気型換気装置が得られる。
【００１１】
また、他の手段は、第１の壁部と第２の壁部を、円筒状に形成したものである。
【００１２】
この手段により、給気流がスムーズに流れ、送風効率を向上できる給気型換気装置が得られる。
【００１３】
また、他の手段は、第１の壁部により形成される通風路内に、フィルターを設けたものである。
【００１４】
この手段により、室内へ給気される空気質を向上できる給気型換気装置が得られる。
【００１５】
また、他の手段は、本体枠の筒状部より外方位置に形成される第１の空気断熱層と、この第１の空気断熱層の内側に配設され、前記本体枠との間に空間が形成されるように設けられる内部にフィルターを収納したフィルター枠とを設け、前記空間を第２の空気断熱層としたものである。
【００１６】
この手段により、本体枠の裏側での結露水の発生を防止できる給気型換気装置が得られる。
【００１７】
また、他の手段は、前面パネルを本体枠へ装着時に、第１の空気断熱層の端部に当接する構成としたものである。
【００１８】
この手段により、組立性を向上できる給気型換気装置が得られる。
【００１９】
また、他の手段は、室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成したものである。
【００２０】
この手段により、本体枠の裏側での結露の発生を抑制できる給気型換気装置が得られる。
【００２１】
また、他の手段は、本体枠の壁面側に当接する取付面側に、本体枠弾性部材を一体に形成したものである。
【００２２】
この手段により、施工状態に左右されず、本体枠の裏側での結露の発生を抑制できる給気型換気装置が得られる。
【００２３】
また、他の手段は、ルーバーベースの壁面側に当接する取付面側に、ルーバーベース弾性部材を一体に形成したものである。
【００２４】
この手段により、施工状態に左右されず、ルーバーベースの裏側での結露の発生を抑制できる給気型換気装置が得られる。
【００２５】
また、他の手段は、ルーバーパネルの内側に空気層を形成するカバーを設け、前記空気層を第４の空気断熱層に形成したものである。
【００２６】
この手段により、ルーバーパネルに前面での結露の発生を抑制できる給気型換気装置が得られる。
【００２７】
また、他の手段は、ルーバーパネルを中空部を有するように形成し、前記中空部を第４の空気断熱層に形成したものである。
【００２８】
この手段により、結露の発生を抑制でき、組立性を向上できる給気型換気装置が得られる。
【００２９】
また、他の手段は、ルーバーベースとルーバーパネルを左右に設けられるリンクにより連結し、そのリンクを中空状に形成して、前記中空状部分を第５の空気断熱層に形成したものである。
【００３０】
この手段により、リンクでの結露の発生を抑制できる給気型換気装置が得られる。
【００３１】
また、他の手段は、リンクを棒材により一体に形成したものである。
【００３２】
この手段により、ルーバーパネルの動作が均一かつ円滑とできる給気型換気装置が得られる。
【００３３】
また、他の手段は、下方側のリンクを板材により一体に形成し、その板材を中空状に形成したものである。
【００３４】
この手段により、コールドドラフトを防止できる給気型換気装置が得られる。
【００３５】
また、他の手段は、下方側のリンクを連結する板材に井桁状のリブを設け複数の凹部を形成し、ルーバーベースとルーバーパネルを連結するリンクに上方が開口した凹部を形成し、前記板材およびリンクの凹部をリンクシール部材で覆い内部に第５の空気断熱層を形成したものである。
【００３６】
この手段により、リンクでの結露の発生を抑制できる給気型換気装置が得られる。
【００３７】
また、他の手段は、リンクシール部材を吸水性を持つ材料で形成したものである。
【００３８】
この手段により、室内への結露水の侵入を防止できる給気型換気装置が得られる。
【００３９】
また、他の手段は、ルーバーパネルの内面側に吸水シートを設け、リンクに設けられるリンクシール部材を前記吸水シートに当接したものである。
【００４０】
この手段により、ミストや結露という問題に関してメンテフリー化ができる給気型換気装置が得られる。
【発明の効果】
【００４１】
本発明によれば、通風路を限定し、給気流と接する面を限定するとともに、空気断熱量の機能を十分に発揮して結露水の発生を抑制できるという効果のある給気型換気装置を提供できる。
【００４２】
また、結露が発生する可能性のある箇所を限定できるとともに、結露水の発生を抑制できるという効果のある給気型換気装置を提供できる。
【００４３】
また、給気流がスムーズに流れ送風効率を向上できるという効果のある給気型換気装置を提供できる。
【００４４】
また、室内へ給気される空気質を向上できるという効果のある給気型換気装置を提供できる。
【００４５】
また、本体枠の裏側での結露水の発生を抑制できるという効果のある給気型換気装置を提供できる。
【００４６】
また、ルーバーベースの裏側での結露の発生を抑制できるという効果のある給気型換気装置を提供できる。
【００４７】
また、結露の発生を抑制でき、組立性を向上できるという効果のある給気型換気装置を提供できる。
【００４８】
また、ルーバーパネル前面での結露の発生を抑制できるという効果のある給気型換気装置を提供できる。
【００４９】
また、リンクでの結露の発生を抑制できるという効果のある給気型換気装置を提供できる。
【００５０】
また、ルーバーパネルの動作が均一かつ円滑とできる給気型換気装置を提供できる。
【００５１】
また、コールドドラフトを防止できるという効果のある給気型換気装置を提供できる。
【００５２】
また、室内への結露水の侵入を防止できるという効果のある給気型換気装置を提供できる。
【００５３】
また、ミストや結露という問題に関してメンテフリー化できるという効果のある給気型換気装置を提供できる。
【発明を実施するための最良の形態】
【００５４】
本発明の給気型換気装置は、室外と連通するように壁部に設けられる形状で内部にファンモータを有した筒状部と、この筒状部の室内側開口の外周に半径方向に張り出したフランジ部とを設けた本体枠と、前記本体枠に着脱自在に設けられる前面パネルとを備え、この本体枠の室内側に突出するように前記筒状部と連通して通風路を限定して形成する第１の壁部と、この第１の壁部の外方に間隔をあけて設けられる第２の壁部と、前記第１の壁部と前記第２の壁部の端部に設けられる本体枠シール部材とで第１の空気断熱層を形成したものであり、通風路を限定することにより、給気流との接触面が限定されることとなり、通風路を第１の空気断熱層で形成することにより、室内空気と給気する外気との温度差により発生する結露水の発生場所を限定でき結露水の発生を確実に抑制することができるとともに、第１の空気断熱層の密閉度が高まることにより空気断熱層の機能が十分に発揮されて結露が防止できるという作用を有する。
【００５５】
また、第１の壁部と第２の壁部を、円筒状に形成したものであり、ファンモータが設けられた筒状部と同形状に第１の壁部が形成されることにより、筒状部から送られた給気流は、第１の壁部により広がったり縮小されたりして給気流が乱れることがないので、給気流は、第１の壁部の内側に形成される通風路をスムーズに流れ、給気流の送風効率が低下されることがなくなるという作用を有する。
【００５６】
また、第１の壁部により形成される通風路内に、フィルターを設けたものであり、給気流がフィルターを通過するときに、給気流に含まれる塵埃等が除去され、清潔な空気が室内に給気されることとなり、給気流の空気質の向上を図ることができるという作用を有する。
【００５７】
また、本体枠の筒状部より外方位置に形成される第１の空気断熱層と、この第１の空気断熱層の内側に配設され、前記本体枠との間に空間が形成されるように設けられる内部にフィルターを収納したフィルター枠とを設け、前記空間を第２の空気断熱層としたものであり、本体枠の筒状部より径の大きなフィルターを備えることができ、フィルターによる圧損を低減できるとともに、第１の空気断熱層と、本体枠に面して形成される空間が第２の空気断熱層に形成されることにより本体枠の裏側での結露が防止でき、第１の空気断熱層と第２の空気断熱層の組み合わせにより、結露の防止範囲が更に拡大されるという作用を有する。
【００５８】
また、前面パネルを本体枠へ装着時に、第１の空気断熱層の端部に当接する構成としたものであり、本体枠に前面パネルを取り付ける通常の作業によって、第１の空気断熱層の端部を前面パネルでシールすることができることにより、第１の空気断熱層の端部を別個の本体枠シール部材等を設けてシールする必要がなくなりシールするのも忘れることなく、組立てが容易となり組立性が向上するという作用を有する。
【００５９】
また、室外と連通するように壁部に設けられる形状で内部にファンモータを有した筒状部と、この筒状部の室内側開口の外周に半径方向に張り出したフランジ部とを設けた本体枠と、この本体枠の室内側に突出するように前記筒状部と連通して通風路を限定して形成する第１の壁部と、この第１の壁部の外方に間隔を開けて設けられる第２の壁部と、前記第１の壁部と前記第２の壁部の端部を閉鎖する本体枠シール部材と、前記本体枠に着脱自在に設けられる中央が開口したルーバーベースと、このルーバーベースの前面を覆う形状で、ルーバーベースとの間に風路を形成するように設けられるルーバーパネルとを備え、前記本体枠の前面とルーバーベースの背面との間に第３の空気断熱層を形成したものであり、ルーバーパネルがルーバーベースとの間に風路を形成する給気型換気装置において、通風路が第１の空気断熱層を介して形成されることにより、通風路の結露が抑制できるとともに、第３の空気断熱層により、本体枠の裏側の結露の発生を防止できるとともに、第１の空気断熱層と第３の空気断熱層の組み合わせにより、結露の防止範囲が更に拡大されるという作用を有する。
【００６０】
また、本体枠の壁面側に当接する取付面側に本体枠弾性部材を一体に形成したものであり、壁面に凹凸があっても、本体枠の壁面側に当接する取付面側に設けた本体枠弾性部材により、壁面の凹凸が吸収されるとともに、施工状態のばらつきにより発生する本体枠と壁面との隙間が吸収されることにより、施工状態に左右されることなく、本体枠の裏側での結露の発生を防止できるという作用を有する。
【００６１】
また、ルーバーベースの壁面側に当接する取付面側にルーバーベース弾性部材を一体に形成したものであり、壁面に凹凸があっても、ルーバーベースの壁面側に当接する取付面側に設けたルーバーベース弾性部材により、壁面の凹凸が吸収されるとともに、施工状態のばらつきにより発生するルーバーベースと壁面との隙間が吸収されることにより、施工状態に左右されることなく、ルーバーベースの裏側での結露の発生を防止できるという作用を有する。
【００６２】
また、ルーバーパネルの内側に空気層を形成するカバーを設け、前記空気層を第４の空気断熱層に形成したものであり、給気流が接触するルーバーパネルに第４の空気断熱層が形成されることにより、ルーバーパネルの前面における結露の発生が防止でき、第１の空気断熱層と第４の空気断熱層の組み合わせにより結露の防止範囲が更に拡大されるという作用を有する。
【００６３】
また、ルーバーパネルを中空部を有するように形成し、前記中空部を第４の空気断熱層に形成したものであり、給気流が接触するルーバーパネルに第４の空気断熱層が形成されることにより、ルーバーパネルの前面における結露の発生が防止でき、第４の空気断熱層を形成するために、カバーを設ける場合と比較して組立工数および作業のばらつきを無くすことができ、組立性を向上することができるという作用を有する。
【００６４】
また、ルーバーベースとルーバーパネルを左右に設けられるリンクにより連結し、そのリンクを中空状に形成して、第５の空気断熱層に形成したものであり、給気流の風路内に配設されるリンクに第５の空気断熱層が形成されることにより、リンク等の部材における結露の発生を抑制することができるという作用を有する。
【００６５】
また、リンクを棒材により一体に形成したものであり、リンクによりルーバーベパネルが前方に移動する際、左右のリンクが棒材により連結されているので、左右のリンクの動作不均一が解消され、ルーバーパネルの動作が均一かつ円滑にできるという作用を有する。
【００６６】
また、下方側のリンクを板材により一体に形成したものであり、給気流が下方側に流れるのが板材により受け止められ、そのことにより、温度の低い給気流が室内の下側に流れることがなくなり使用者に寒さを感じさせないようにしてコールドドラフトを無くすことができるという作用を有する。
【００６７】
また、下方側のリンクを連結する板材に井桁状のリブを設け複数の凹部を形成し、ルーバーベースとルーバーパネルを連結するリンクに上方が開口した凹部を形成し、前記板材およびリンクの凹部をリンクシール部材で覆い内部に第５の空気断熱層を形成したものであり、第５の空気断熱層により、板材およびリンクにおける結露の発生を防止できることにより、部材の結露の防止とともに、第１の空気断熱層と第３の空気断熱層および第５の空気断熱層の組み合わせにより、結露の防止範囲が更に拡大されるという作用を有する。
【００６８】
また、リンクシール部材を、吸水性を持つ材料で形成したものであり、リンクシール部材により結露水や給気流に含まれるミストを吸水することができ、室内への水の侵入を防止できるという作用を有する。
【００６９】
また、ルーバーパネルの内面側に吸水シートを設け、リンクに設けられるリンクシール部材を、前記吸水シートと当接したものであり、吸水シートに吸水された湿気が通常運転の送風により乾燥することができ、ミストや結露という問題に関してメンテフリー化を図ることができるという作用を有する。
【００７０】
以下、本発明の実施の形態について図面を参照しながら説明する。
【００７１】
（実施の形態１）
図１および図２に示すように、室外１と連通するように壁部２に設けられる形状で内部にファンモータ３を有した筒状部４と、この筒状部４の室内５側開口の外周に半径方向に張り出したフランジ部６とを設けた本体枠７と、本体枠７に着脱自在に設けられる前面パネル１３とを備え、本体枠７の室内５側に突出するように筒状部４と連通して通風路８を限定して形成する第１の壁部９と、この第１の壁部９の外方に間隔をあけて設けられる第２の壁部１１と、第１の壁部９と第２の壁部１１の端部に設けられる本体枠シール部材１２とで第１の空気断熱層１０を形成し構成する。
【００７２】
上記構成において、ファンモータ３が運転されると、室外１の外気がファンモータ３により給気され、筒状部４内を通り、通風路８内に送られ前面パネル１３により室内５に給気されて給気換気が行われる。
【００７３】
そして、通風路８が限定され、給気流が接触する面を限定し、また、通風路８を第１の空気断熱層１０で形成することにより、冬期等室内５の空気温度と、室外１の外気温度の温度差が大きく、温度差により発生する結露水の発生場所を限定でき、結露水の発生を確実に抑制することができるとともに、第１の空気断熱層１０の密閉度を高めることにより、空気断熱層の機能が十分に発揮されて結露が防止できることとなる。
【００７４】
（実施の形態２）
図３および図４に示すように、第１の壁部９Ａと第２の壁部１１Ａを円筒状に形成し構成する。
【００７５】
上記構成において、ファンモータ３が設けられる筒状部４と同形状に第１の壁部９Ａが形成されていることにより、筒状部４から送られた給気流は第１の壁部９Ａにより広がったり縮小されたりして給気流が乱れることがないので、給気流は、第１の壁部９Ａの内側に形成される通風路８Ａをスムーズに流れ給気流の送風効率が低下することがなくなることになる。
【００７６】
（実施の形態３）
図５に示すように、第１の壁部９Ｂにより形成される通風路８Ｂ内にフィルター１５を設け構成する。
【００７７】
上記構成において、ファンモータ３により給気される外気中に塵埃が含まれていても、給気流がフィルター１５を通過するときに、給気流に含まれる塵埃等が除去され、清潔な空気が室内５に給気されることとなり、給気流の空気質の向上を図ることができることとなる。
【００７８】
（実施の形態４）
図６に示すように、本体枠７Ａの筒状部４Ａより外方位置に形成される第１の空気断熱層１０Ａと、第１の空気断熱層１０Ａの内側に配設され、本体枠７Ａとの間に空間１６が形成されるように設けられる内部にフィルター１５Ａを収納したフィルター枠１７とを設け、空間１６を第２の空気断熱層１８に形成し構成する。
【００７９】
上記構成において、本体枠７Ａの筒状部４Ａより径の大きなフィルター１５Ａを備えることができ、フィルター１５Ａによる圧損を低減できるとともに、第１の空気断熱層１０Ａと、本体枠７Ａに面して形成される空間１６が第２の空気断熱層１８に形成されることにより、本体枠７Ａの裏側での結露の発生が防止でき、第１の空気断熱層１０Ａと第２の空気断熱層１８の組み合わせにより結露の防止範囲が更に拡大されることとなる。
【００８０】
（実施の形態５）
図７に示すように、前面パネル１３Ａを本体枠７Ｂに装着時、第１の空気断熱層１０Ｂの端部に当接してシールを兼用する構成とする。
【００８１】
上記構成において、本体枠７Ｂに前面パネル１３Ａを取り付ける通常の作業によって第１の空気断熱層１０Ｂの端部を前面パネル１３Ａでシールすることができることにより、第１の空気断熱層１０Ｂの端部を別個の本体枠シール部材等を用いてシールする必要がなくなり、シール忘れもなく、組立てが容易となる。
【００８２】
（実施の形態６）
図８に示すように、室外１Ａと連通するように壁部２Ａに設けられる形状で内部にファンモータ３Ａを有した筒状部４Ｂと、筒状部４Ｂの室内５Ａ側の開口の外周に半径方向に張り出したフランジ部６Ａとを設けた本体枠７Ｃと、本体枠７Ｃの室内５Ａ側に突出するように筒状部４Ｂと連通して通風路８Ｃを限定して形成する第１の壁部９Ｃと、第１の壁部９Ｃの外方に間隔をあけて設けられる第２の壁部１１Ｂと、第１の壁部９Ｃと第２の壁部１１Ｂの端部を閉鎖する本体枠シール部材１２Ａと、本体枠７Ｃに着脱自在に設けられる中央が開口したルーバーベース１９と、ルーバーベース１９の前面を覆う形状でリンク２０により前方に移動し、ルーバーベース１９との間に風路２１を形成するように設けられるルーバーパネル２２とを備え、本体枠７Ｃの前面とルーバーベース１９の背面との間に第３の空気断熱層２３を形成し構成する。
【００８３】
上記構成において運転時に、リンク２０によりルーバーパネル２２は前方に移動し、ルーバーベース１９との間に風路２１が形成され、ファンモータ３Ａにより給気された外気は通風路８Ｃを通り、風路２１をへて室内５Ａに給気される。
【００８４】
そして、通風路８Ｃの結露水の発生が抑制できるとともに、第３の空気断熱層２３により本体枠７Ｃの裏側の結露の発生を防止でき、また、第１の空気断熱層１０Ｃと第３の空気断熱層２３の組み合わせにより結露の防止範囲が更に拡大されることとなる。
【００８５】
（実施の形態７）
図９に示すように、本体枠７Ｄの壁面側に当接する取付面２４側に本体枠弾性部材２５を、また、ルーバーベース１９の壁面側に当接する取付面２４側にルーバーベース弾性部材１４を一体に形成し構成する。
【００８６】
上記構成において、壁部２Ａの表面に凹凸があっても本体枠７Ｄの壁面側に当接する取付面２４側に設けた本体枠弾性部材２５、ルーバーベース１９の壁面側に当接する取付面２４側に設けたルーバーベース弾性部材１４により、壁部２Ａの表面の凹凸が吸収されるとともに、施工状態のばらつきにより発生する本体枠７Ｄと壁部２Ａの表面との隙間、ルーバーベース１９と壁部２Ａの表面との隙間が吸収されることにより、施工状態に左右されることなく、本体枠７Ｄの裏側あるいはルーバーベース１９の裏側での結露水の発生を防止することができることとなる。
【００８７】
（実施の形態８）
図１０に示すように、ルーバーパネル２２Ａの内側に空間１６Ａを形成するカバー２６を設け、空間１６Ａを第４の空気断熱層２７に形成し構成する。
【００８８】
上記構成において、給気流が接触するルーバーパネル２２Ａに第４の空気断熱層２７が形成されることにより、ルーバーパネル２２Ａの前面における結露の発生が防止でき、第１の空気断熱層１０Ｄと第４の空気断熱層２７の組み合わせにより結露の防止範囲が更に拡大されることとなる。
【００８９】
（実施の形態９）
図１１に示すように、ルーバーパネル２２Ｂを中空部２８を有するように形成し、中空部２８を第４の空気断熱層２７Ａに形成し、ルーバーベース１９Ａと、ルーバーパネル２２Ｂを連結するリンク２０Ａも中空状に形成し、中空状部分を第５の空気断熱層２９に形成し構成する。
【００９０】
上記構成において、ルーバーパネル２２Ｂの前面における結露の発生が防止でき、第４の空気断熱層２７Ａを形成するためにカバーを設ける場合と比較して組立工数および作業のばらつきを無くすことができるとともに、給気流の風路２１Ａ内に配設されるリンク２０Ａに第５の空気断熱層２９が形成されることにより、リンク２０Ａ等の部材における結露の発生を抑制することができることとなる。
【００９１】
（実施の形態１０）
図１２に示すように、左右のリンク２０Ｂを棒材３５により一体に形成し構成する。
【００９２】
上記構成において、左右のリンク２０Ｂを棒材３５により一体に形成することにより、リンク２０Ｂによりルーバーパネル２２Ｃが前方に移動する際、左右のリンク２０Ｂが棒材３５により連結されているので、左右のリンク２０Ｂの動作不均一が解消され、ルーバーパネル２２Ｃの動作が均一かつ円滑にできることとなる。
【００９３】
（実施の形態１１）
図１３に示すように、下方側の左右のリンク２０Ｃを板材３０により一体に形成し構成する。
【００９４】
上記構成において、給気流がルーバーパネル２２Ｄにより上下左右に案内されるが、リンク２０Ｃ間に設けた板材３０により、給気流が下方側に流れるのが防止され、温度の低い外気が室内の下方側に流れて使用者に寒さを感じさせることが防止され、コールドドラフトの発生を無くすることができることとなる。
【００９５】
（実施の形態１２）
図１４および図１５に示すように、下方側の左右のリンク２０Ｄを板材３０Ａにより形成し、板材３０Ａに井桁状のリブ３１を設け、複数の凹部３２を形成し、ルーバーベース１９Ｂとルーバーパネル２２Ｅを連結するリンク２０Ｄに上方が開口した凹部３２Ａを形成し、板材３０Ａおよびリンク２０Ｄの凹部３２と凹部３２Ａをリンクシール部材３３で覆い内部に第５の空気断熱層２９Ａを形成し構成する。
【００９６】
上記構成において、給気流が室内５Ａの下方側に流れるのが板材３０Ａにより受け止められ、そのことにより、温度の低い外気が室内５Ａの下方側に流れ、使用者に寒さを感じさせることを防止してコールドドラフトを無くすことができることとなる。
【００９７】
また、第５の空気断熱層２９Ａにより、板材３０Ａおよびリンク２０Ｄにおける結露の発生を防止できることにより、部材の結露の防止とともに、第１の空気断熱層１０Ｅと第３の空気断熱層２３Ａおよび第５の空気断熱層２９Ａの組み合わせにより結露の防止範囲が更に拡大されることとなる。
【００９８】
（実施の形態１３）
図１６に示すように、リンクシール部材３３Ａを吸水性を持つ材料で形成し構成する。
【００９９】
上記構成において、リンクシール部材３３Ａにより結露水や給気流に含まれるミストを吸水することができ、室内５Ａへの水の侵入を防止できることとなる。
【０１００】
（実施の形態１４）
図１７に示すように、ルーバーパネル２２Ｆの内面側に吸水シート３４を設け、リンク２０Ｅに設けられるリンクシール部材３３Ｂを、吸水シート３４と当接し構成する。
【０１０１】
上記構成において、吸水シート３４に吸水された湿気が通常運転の送風により、乾燥することができ、ミストや結露という問題に関してメンテフリー化を図ることができることとなる。
【産業上の利用可能性】
【０１０２】
本発明にかかる給気型換気装置の結露水の発生を抑制する構造は、空気断熱層の機能が十分に発揮される構造によって、送風機、空気調和機の等の結露水の発生を抑制する構造にも適用できる。
【図面の簡単な説明】
【０１０３】
【図１】本発明の実施の形態１の給気型換気装置の側面構成図
【図２】同給気型換気装置の正面図
【図３】本発明の実施の形態２の給気型換気装置の側面構成図
【図４】同給気型換気装置の正面図
【図５】本発明の実施の形態３の給気型換気装置の側面構成図
【図６】本発明の実施の形態４の給気型換気装置の側面構成図
【図７】本発明の実施の形態５の給気型換気装置の側面構成図
【図８】本発明の実施の形態６の給気型換気装置の側面構成図
【図９】本発明の実施の形態７の給気型換気装置の側面構成図
【図１０】本発明の実施の形態８の給気型換気装置の側面構成図
【図１１】本発明の実施の形態９の給気型換気装置の側面構成図
【図１２】本発明の実施の形態１０の給気型換気装置の斜視図
【図１３】本発明の実施の形態１１の給気型換気装置の斜視図
【図１４】本発明の実施の形態１２の給気型換気装置の側面構成図
【図１５】同給気型換気装置のルーバーパネルを外した状態の斜視図
【図１６】本発明の実施の形態１３の給気型換気装置の側面構成図
【図１７】本発明の実施の形態１４の給気型換気装置の側面構成図
【図１８】従来の給気型換気装置の側面断面図
【符号の説明】
【０１０４】
１      室外
１Ａ    室外
２      壁部
２Ａ    壁部
３      ファンモータ
３Ａ    ファンモータ
４      筒状部
４Ａ    筒状部
４Ｂ    筒状部
５      室内
５Ａ    室内
６      フランジ部
６Ａ    フランジ部
７      本体枠
７Ａ    本体枠
７Ｂ    本体枠
７Ｃ    本体枠
７Ｄ    本体枠
８      通風路
８Ａ    通風路
８Ｂ    通風路
８Ｃ    通風路
９      第１の壁部
９Ａ    第１の壁部
９Ｂ    第１の壁部
９Ｃ    第１の壁部
１０    第１の空気断熱層
１０Ａ  第１の空気断熱層
１０Ｂ  第１の空気断熱層
１０Ｃ  第１の空気断熱層
１０Ｄ  第１の空気断熱層
１０Ｅ  第１の空気断熱層
１１    第２の壁部
１１Ａ  第２の壁部
１１Ｂ  第２の壁部
１２    本体枠シール部材
１２Ａ  本体枠シール部材
１３    前面パネル
１３Ａ  前面パネル
１４    ルーバーベース弾性部材
１５    フィルター
１５Ａ  フィルター
１６    空間
１６Ａ  空間
１７    フィルター枠
１８    第２の空気断熱層
１９    ルーバーベース
１９Ａ  ルーバーベース
１９Ｂ  ルーバーベース
２０    リンク
２０Ａ  リンク
２０Ｂ  リンク
２０Ｃ  リンク
２０Ｄ  リンク
２０Ｅ  リンク
２１    風路
２１Ａ  風路
２２    ルーバーパネル
２２Ａ  ルーバーパネル
２２Ｂ  ルーバーパネル
２２Ｃ  ルーバーパネル
２２Ｄ  ルーバーパネル
２２Ｅ  ルーバーパネル
２２Ｆ  ルーバーパネル
２３    第３の空気断熱層
２３Ａ  第３の空気断熱層
２４    取付面
２５    本体枠弾性部材
２６    カバー
２７    第４の空気断熱層
２７Ａ  第４の空気断熱層
２８    中空部
２９    第５の空気断熱層
２９Ａ  第５の空気断熱層
３０    板材
３０Ａ  板材
３１    リブ
３２    凹部
３２Ａ  凹部
３３    リンクシール部材
３３Ａ  リンクシール部材
３３Ｂ  リンクシール部材
３４    吸水シート
３５    棒材
【図１】
0004720577.tif 000002
【図２】
0004720577.tif 000003
【図３】
0004720577.tif 000004
【図４】
0004720577.tif 000005
【図５】
0004720577.tif 000006
【図６】
0004720577.tif 000007
【図７】
0004720577.tif 000008
【図８】
0004720577.tif 000009
【図９】
0004720577.tif 000010
【図１０】
0004720577.tif 000011
【図１１】
0004720577.tif 000012
【図１２】
0004720577.tif 000013
【図１３】
0004720577.tif 000014
【図１４】
0004720577.tif 000015
【図１５】
0004720577.tif 000016
【図１６】
0004720577.tif 000017
【図１７】
0004720577.tif 000018
【図１８】
0004720577.tif 000019